(57)【要約】【課題】濾過フィルター方式の養生水供給系統について、フィルターカートリッジの交換日数を数倍も延長し、フィルターカートリッジ交換の手間と消耗費用、更には産業廃棄物の発生量を可及的に減らし、処分量を節減する。【解決手段】水源１０から取り込んだ用水は、先ず遠心分離型濾過装置２０へ送水し、同水に含まれた粒径、質量が大きい不純物を遠心分離作用と沈降分離作用により取り除き、その処理水をフィルター型濾過装置１２へ送り濾過させて一層細かい不純物を取り除いた処理水を一旦大容量の水タンク１３に貯め、同水タンクの水を高圧ポンプ１４によりコンクリート養生設備１５へ送水して打設コンクリートの水養生に使用する構成である。【選択図】図１
2014152527.tif 000002
【特許請求の範囲】
【請求項１】
水道水や河川水、或いは地下水等の水源から用水を取り込み、フィルター型濾過装置を通過させることで不純物を取り除いた水を一旦大容量の水タンクに貯めた上で、同水タンク内の水を高圧ポンプでコンクリート養生設備へ送水して、打設コンクリートの水養生に使用する養生水供給系統において、
前記水源から取り込んだ用水は、先ず遠心分離型濾過装置へ送水し、同水に含まれた粒径、質量が大きい不純物を遠心分離作用と沈降作用により取り除き、その処理水をフィルター型濾過装置へ送り濾過させて一層細かい不純物を取り除いた処理水を一旦大容量の水タンクに貯め、同水タンクの水を高圧ポンプによりコンクリート養生設備へ送水して打設コンクリートの水養生に使用する構成であることを特徴とする、コンクリート養生設備等への養生水供給系統。
【請求項２】
遠心分離型濾過装置は、水源から取り込んだ用水を旋回槽の接線方向へ導き入れて回転運動させ、用水に含まれた不純物に遠心力を作用させて粒径、質量が大きい微粒子は下方へ沈降させ、粒径、質量が小さい微粒子を含む水は上昇させて分離作用を行う構成であり、前記上昇した処理水を次のフィルター型濾過装置へ送る構成であることを特徴とする、請求項１に記載したコンクリート養生設備等への養生水供給系統。
【発明の詳細な説明】
【技術分野】
【０００１】
この発明は、打設したコンクリートの水養生設備に使用する養生水の供給系統、更に具体的に言えば、トンネルやボックスカルバート等に施工された覆工コンクリートの水養生を機械化して行うコンクリート養生設備（以下、単に養生設備と略す場合がある。）に必要な養生水の供給系統の技術分野に属する。
【背景技術】
【０００２】
打設したコンクリートの養生は、ひび割れの発生を防ぎ、コンクリートの強度を増大させて高耐久性コンクリートを築造する品質保証の見地から特に重要視されている。
とりわけトンネルやボックスカルバートの内面へ軸方向に連続状態に施工された覆工コンクリートの養生は、先行するコンクリート打設機が型枠を脱型した直後に、その一工区分ずつを一気に７２時間（３日）から１６８時間（７日）程度をかけて連続状態に実施する。しかもこうしたコンクリート養生は、施工するトンネルやボックスカルバートの全長にわたり、１年とか３年とかの工期の期間中、連続する工程で実施される。しかもその間、坑内空間は軸方向へ作業員が出入りし、各種材料、機器の搬出入を行い、或いは掘削土砂、岩石などの搬出、空気の送給等に使用するため、これを前提とする養生の実施に困難を極めてきた。しかし、本出願人の特許第４８６６９３９号特許発明に係るコンクリート養生設備によって前記の問題点、困難を解決でき、画期的な作用、効果を発揮する装置として現在広く活用されている。
【０００３】
因みに、上記特許発明に係るコンクリート養生設備は、図３Ａにトンネル用を、同図３Ｂにボックスカルバート用の概念図を例示したように、トンネルやボックスカルバートの覆工コンクリート１又は１’の内周面との間に約４００ｍｍ程度の間隔で接近する相似形状の養生フレーム２又は２’を、坑内の軸方向へ移動可能な車輪３を備えた台車構造に組み立てる。そして、前記養生フレーム２又は２’の外周面を防水シートで覆い、この防水シートの外側に養生水の散水設備として散水用スプリンクラー４を一定の間隔で多数設置し、各散水用スプリンクラー４を通じて養生水を霧状にして回転しながら散水する構成を採用している。したがって、養生フレーム２又は２’の内側空間は、養生水の散水による悪影響を一切受けない。
もっとも、養生水等の供給を必要とする利水設備は、上記特許発明に係るコンクリート養生設備に限らず、各種の利水設備が存在し、本発明の適用対象も広く存在するが、とりあえずここでは上記のコンクリート養生設備に特定して、以下の説明を続ける。
【０００４】
上記したコンクリート養生設備の機能を有効に発揮させるためには、１工区当たりに上記した７２時間から１６８時間程度をかけて連続実施する水養生の期間中は、連続して定常に送水して、その送水を散水用スプリンクラーから霧状に回転しながら間断なく散水する条件を満たさねばならない。
しかし、トンネルやボックスカルバート等の施工現場で、水源として利用できる用水は、通例、河川水、或いは地山から滲み出た地下水であり、水道水は地理的になかなか利用し難い。
一方、上記構成のコンクリート養生設備において、水を霧状に噴霧する散水用スプリンクラーの先端ノズルの口径は４０〜６０ミクロンと極めて小さい。
そのため水道水のように不純物が少ない水を使用できると問題はないが、上記河川水、或いは地山から滲み出た地下水等を使用せざるを得ない場合は、水中に含まれた不純物、例えば微小な土砂や微生物、植物の微細片などによって前記先端ノズルが頻繁に詰まるトラブルに悩まされている。水養生工程中に、仮に１個でも散水用スプリンクラーの先端ノズルが詰まって噴霧が止まると、その噴霧領域の養生効果を損ない、コンクリートの品質を損なうからである。そのため１週間に１度ぐらいの間隔で先端ノズルの点検、交換の作業が必要と考えられ、実施してきた。
しかし、散水用スプリンクラーの先端ノズルが詰まったか否かの点検及び交換修理は、上述した養生フレーム２又は２’の外周面を覆った防水シートの外側位置へ登って一つ一つ目視で点検し交換する作業を行わねばならない。ところが高さが５ｍ程度、幅が１０ｍ程度にも及ぶ防水シートの外側位置へ登るのに適切な足場もないから、仮に１週間に１回程度の割合で、１台のコンクリート養生設備につき２４個、これが３連で使用されると総計７２個にも及ぶ先端ノズルを点検し交換する作業は大変なことであり、現場ではその煩に耐え難い。即ち、危険な高所作業であり、長い作業時間を必要とするから、ひいては覆工コンクリート打設工程に付随するコンクリート養生工程の適切な実施条件を阻害するという問題がある。
【０００５】
上記問題の解決策として、従来採用している養生水供給系統を図４に例示した。
これは用水を予め浄化して水タンクへ供給して貯める、濾過フィルター方式の養生水供給系統である。水道水を使用する場合も同様に使用されている。
図４に例示した従来の養生水供給系統の構成を、以下に簡単に説明する。
上記河川水、或いは地山から滲み出た地下水又は水道水の如き水源１０からポンプアップして、又は高低差を利用して取り込んだ用水は、工事用配管１６で導き、減圧弁１１に設定した適切な水圧でフィルター型濾過装置１２を通過させることにより不純物を取り除き、大容量の水タンク１３に貯める。そして、水タンク１３内の用水を高圧ポンプ１４でポンプアップして、通例は３台を一連に連結した（３連型）各養生設備１５ａ〜１５ｃへ分配して安定状態に送水し、打設コンクリートの連続的な水養生を行っている。
因みに、養生設備として図面に３台分１５ａ〜１５ｃを３連型で表記しているのは、覆工コンクリートの打設機が、１工区の長さを１０ｍ余で構成されているのに対して、同様な長さのコンクリート養生設備を３台１５ａ〜１５ｃ連ねて水養生を行う実情に基づいている。この３連型の養生設備に対して、ポンプアップした用水は通例０．５〜０．７ＭＰａの圧力で送水する。
なお、上記フィルター型濾過装置１２の構成概要を図５に例示した。
縦長のシリンダ構造としたフィルターハウジング１２０の中に、フィルターカートリッジ１２１を挿入して設置している。フィルターハウジング１２０の上部に取り付けたヘッダー部に設けた導水ソケット１２２から用水を導入し、フィルターカートリッジ１２１を浸透させて、同じ上方のヘッダー部に設けた出水ソケット１２３から処理水を導き出す構成である。
このようなフィルター型濾過装置１２は、通例、３体１２ａ〜１２ｃをそれぞれ直列状態に接続して使用している。フィルターカートリッジ１２１は、一定期間使用した後にはハウジング１２０から取り出して交換することが容易な構成である。
【０００６】
上記図４の濾過フィルター方式の養生水供給系統を採用したことで、コンクリート養生設備において水を霧状に噴霧する散水用スプリンクラーの先端ノズルの詰まりの有無を点検し交換する作業の日数期間が短い（頻度数が多い）と言う従前の問題点はかなり改善できたが、次なる問題が生じた。
上記フィルター型濾過装置１２に使用するフィルターカートリッジ１２１の材質はポリプロピレンで、濾過精度１０ミクロンの構成である。
このようなフィルター型濾過装置１２を、通例は３体１２ａ〜１２ｃを直列に接続して水を順次に通過させているが、上記濾過フィルター方式の養生水供給系統を継続的に使用すると、今度はフィルター型濾過装置１２を構成するフィルターカートリッジ１２１の汚損が激しく、一定期間で頻繁に交換する必要がある、という問題が生じた。
現状実施している濾過フィルター方式養生水供給系統に使用中のフィルター型濾過装置１２のフィルターカートリッジ１２１は、その濾過精度が１０ミクロン程度であるが、その場合の交換実績を概説すると、以下の通りである。
（１）水源として河川水を使用した場合、フィルターカートリッジの交換は３０日程度ま
で猶予できることが確認された。
（２）水源として地山から生じた地下水を使用した場合、フィルターカートリッジの交換
は１４日間程度までは必要ないことも確認された。
（３）ところが、水源として、所謂「先受け工法」（トンネルを掘削するとき、先端の地
山が悪く、地山を改良する工事を先行実施する工法）を実施した場合に、その地山から
生じた地下水を養生水に使用した場合、散水用スプリンクラーの先端ノズルの詰まりを
未然に防止するためには、フィルターカートリッジを７日程度の使用で交換する必要の
あることが明らかとなった。つまり、上記１６８時間程度の水養生を１度行うと、その
度に１度フィルターカートリッジを交換するべきであると考えられ実施している。
（４）上記のように考えるべき背景としては、工事現場毎に水源として存在する河川水、
或いは地山から湧き出る地下水の品質が様々異なる事実が当業者に知られているからで
ある。そうした地下水をいちいち水質検査する面倒さを考慮すると、先端ノズルの詰ま  りを未然に確実に防止するための条件として、フィルターカートリッジの交換に必要な  又は許される日数を予め一律に義務化（固定化）するためには、結局、上記した７日に  一度の割合でフィルターカートリッジを交換する条件の設定が妥当と結論づけられ、こ  れが現状の標準仕様になりつつある。
【０００７】
上記した事情で、適用する水源の水の水質の如何に拘わらず、コンクリート養生設備の先端ノズルに詰まりを生じさせない（詰まりを未然に防ぐ）ために必要なフィルターカートリッジの交換日数を７日を限度と定め、これを標準仕様として頻繁に交換を行うことは、当然、そうした作業の負担が大きく、工事日程に支障をもたらし、コスト面及び作業工数の面での負担も大きくなって、早急に解決するべき課題になっている。
因みに、フィルターカートリッジを７日毎の使用で交換すると、フィルターカートリッジの消耗費用が甚大になる。のみならず、フィルターカートリッジの交換作業の工数と所要時間の負担が、現場のコンクリート打設工程及び水養生工程の実施を窮屈にする。
その上、水中の不純物で汚された使用済みのフィルターカートリッジは、真っ黒に汚損しており、これは産業廃棄物として処分するほかないから、産業廃棄物量が増え、処理費用も加算されることになる。
【先行技術文献】
【特許文献】
【０００８】
【特許文献１】特許第４８６６９３９号公報（特開２００９−２３５８９４号）
【発明の概要】
【発明が解決しようとする課題】
【０００９】
したがって、本発明の目的は、上記濾過フィルター方式の養生水供給系統を更に改善して、水源として使用する用水の品質の如何、特に上記「先受け工法」を実施した地山から滲みだした地下水を養生水に使用する場合でも、コンクリート養生設備の先端ノズルの詰まりを未然に防止するために必要なフィルターカートリッジの交換日数を、従前の「７日程度」に比して数倍も延長し、覆工コンクリート打設現場における工程消化の窮屈さを解消すると共に、フィルターカートリッジ交換の手間と消耗費用、更には産業廃棄物の発生量を可及的に減らし、処分量を節減することである。
【課題を解決するための手段】
【００１０】
上記の課題を解決する手段として、請求項１に記載した発明に係るコンクリート養生設備等への養生水供給系統は、
水道水や河川水、或いは地下水等の水源１０から用水を取り込み、フィルター型濾過装置１２を通過させることで不純物を取り除いた水を一旦大容量の水タンク１３に貯めた上で、同水タンク内の水を高圧ポンプ１４でコンクリート養生設備１５ａ〜１５ｃへ送水して、打設コンクリートの水養生に使用する養生水供給系統において、
前記水源１０から取り込んだ用水は、先ず遠心分離型濾過装置２０へ送水し、同水に含まれた粒径、質量が大きい不純物を遠心分離作用と沈降分離作用により取り除き、その処理水をフィルター型濾過装置１２へ送り濾過させて一層細かい不純物を取り除いた処理水を一旦大容量の水タンク１３に貯め、同水タンクの水を高圧ポンプ１４によりコンクリート養生設備１５へ送水して打設コンクリートの水養生に使用する構成であることを特徴とする。
【００１１】
請求項２に記載した発明は、請求項１に記載したコンクリート養生設備等への養生水供給系統において、
遠心分離型濾過装置２０は、水源１０から取り込んだ用水を旋回槽の接線方向へ導き入れて回転運動させ、用水に含まれた不純物に遠心力を作用させて粒径、質量が大きい微粒子は下方へ沈降させ、粒径、質量が小さい微粒子を含む水は上昇させて分離作用を行う構成であり、前記上昇した処理水を次のフィルター型濾過装置へ送る構成であることを特徴とする。
【発明の効果】
【００１２】
本発明の養生水供給系統は、水源１０から取り込んだ用水を、先ず遠心分離型濾過装置２０へ送り込み、遠心分離作用と沈降作用を利用して、水中の不純物（固形微粒子）のうち粒径、質量が大きい、例えば粒径１５ミクロン以上、比重１．５以上の不純物を分離して下方へ沈降させ分離するので、続くフィルター型濾過装置１１による濾過作用の負担（負荷）を大幅に軽減できる。                           
その効能を具体的に説明すると、用水に水道水を使用した場合は、１２０日連続使用しても散水用スプリンクラー４の先端ノズルに詰まり現象は１個も生じなかった。この結果は当然といえる。
しかし、用水として河川水を使用した場合には、６４日目で先端ノズルに詰まり現象が認められた。これを従前例＝上記段落［０００６］に記載した３０日に比較すると、２倍超であることが明かになった。
また、「先受け工法無し」の地下水を使用した場合は、４７日目で先端ノズルに詰まり現象が認められたから、従前例の３倍超の効果が認められた。
問題の「先受け工法」を実施した条件下で地下水を使用した場合は、３５日目に先端ノズルの詰まり現象が認められた。これは対応する従前例の７日に比すると、５倍超の効果を発揮することになる。
上記の効果によれば、本発明の養生水供給系統は、水源１０として使用する用水が例え「先受け工法の実施有り」の条件下の地下水を使用する場合でも、フィルター型濾過装置１２のフィルターカートリッジの耐用寿命を５倍程度も延長できることになる。よって、フィルターカートリッジの交換頻度を１／５以下に減らせることになる。そのためフィルターカートリッジの交換に要する面倒な手間と時間及び消耗費用を大幅に減縮できる。その上、産業廃棄物の発生量を大きく減らして環境保護に寄与できるし、その処分費用をも減額することができる。
そして、フィルター型濾過装置のフィルターカートリッジの交換頻度が大幅に減って交換の日数期限が長くなった分だけ、コンクリート打設現場における各作業工程の計画に余裕が生まれる。
その上、付随的な効果として大きいのは、上記遠心分離型フィルター装置２０において、粒径１５ミクロン以上、比重１．５以上の不純物（固形物）を含み下方へ沈降したドレン水を採取して、目視その他の方法で不純物（固形物）を分析することにより、当該用水の水質を判定し又は推定できる。その結果、トンネル掘削工事の対象地盤の地質、地層を的確に判定できることになり、その判定結果に基づいて適切な掘削工法と掘削機械等をリアルタイムに決定して、トンネル掘削工事を最適な工法及び機械で安全に効率よく実施することにも寄与する効果も得られる。
【図面の簡単な説明】
【００１３】
【図１】本発明による養生水供給系統の構成を流れ図として示した説明図である。
【図２】本発明による養生水供給系統に使用する遠心分離型濾過装置の構成概要を示した説明図である。
【図３】Ａ、Ｂはトンネル及びボックスカルバートにそれぞれ適用したコンクリート養生設備の構成概要を横断面図として示している。
【図４】既往の養生水供給系統の構成を流れ図として示した説明図である。
【図５】図１及び図４の養生水供給系統に使用したフィルター型濾過装置の構成概要を示した説明図である。
【図６】本発明による養生水供給系統で処理した水をコンクリート養生設備に使用して先端ノズルが詰まる日限を実証する試験の結果を示した図表である。
【発明を実施するための形態】
【００１４】
本発明による養生水供給系統は、水道水や河川水、或いは地山から滲み出た地下水等の水源１０から用水を取り込み、これを先ず遠心分離型濾過装置２０へ送水して、同水に含まれた粒径、質量が大きい不純物を遠心作用と沈降分離の作用で取り除く。処理後の水をフィルター型濾過装置１２へ送り濾過させて一層細かい不純物を取り除き、その処理水を、一旦、大容量の水タンク１３に貯める。その上で、同タンク１３の水を高圧ポンプ１４によりポンプアップして、コンクリート養生設備１５へ送水し打設コンクリートの水養生に使用する構成である。
本発明の上記コンクリート養生設備等への養生水供給系統に使用する遠心分離型濾過装置２０は、水源１０から取り込んだ用水を旋回槽の接線方向へ導き入れて回転運動させ、同水に含まれた不純物に遠心力を作用させ、粒径、質量が大きい微粒子を下方へ沈降させ、逆に粒径、質量が小さい微粒子を含む処理水は上昇させて分離を行う構成であり、前記上昇した処理水を、次のフィルター型濾過装置１２へ送り、更に濾過する構成である。
【実施例１】
【００１５】
以下に、本発明を図１に示した実施例に基づいて説明する。
図１に示した本発明の養生水供給系統は、図４に示した従来の養生水供給系統と対比して明かなとおり、端的にいえば、水源１０から取り込んだ用水を、先ずは遠心分離型濾過装置２０へ送水して粒径、質量が大きい微粒子を取り除く。その処理水を引き続き、フィルター型濾過装置１２へ導いて更に濾過させることで、微細な不純物を取り除く、二段構えの構成としたことを特徴とする。つまり、フィルター型濾過装置１２以降の構成は、図４に示した従来例と変わらない。
因みに、本発明の養生水供給系統に使用する遠心分離型濾過装置２０の構成と性能については、粒径、質量が一定大きさ以上の微粒子を遠心分離と沈降作用の方式で取り除ける構成であれば足り、その型式、機能、性能について格別特定するものではない。
なお、機能及び性能に関して、上記一定大きさ以上の微粒子の粒径、質量をより具体的に言えば、次順のフィルター型濾過装置１２の濾過精度が一例として１０ミクロンであることを前提とすれば、用水中の不純物（固形微粒子）の粒径が１５ミクロン以上、比重１．５以上の不純物を分離・除去する性能を有すれば足りることになる。
【００１６】
そこで更に、図２に示した遠心分離型濾過装置２０の構成及び作用について簡単に説明する。
ハウジング２０１は、上下方向に長く、比較的小径で、上端部のヘッドカバー２２０に、図１に示した水源１０から取り込んだ用水を、ハウジング２０１の中へ接線方向に導き入れる導水口２０２を備え、これに用水配管１７が接続される。用水は取り込み時の導入エネルギーで勢いよく回転（旋回）しつつハウジング２０１の中へ入る。その回転流動によって、上記粒径が１５ミクロン以上、比重１．５以上の不純物は遠心力の作用で分離され、下方に長いハウジング２０１内を沈降する。一方、粒径、質量が前記より小さい不純物は、さしたる遠心作用を受けないから、水の流れにしたがい、前記導水口２０２より上位の位置に設けた出水口２０３から流出してゆく。この出水口２０３に図１の配管１６が接続されている。
上記のハウジング２０１は、上記導水口２０２から導き入れた用水を高速で旋回流動させて遠心分離作用を発揮させる構造で、上記水中の不純物（固形微粒子）のうち粒径、質量が大きいものを分離させ沈降させるに必要十分な深さ（長さ）を有する構成とされている。具体的には、上記した粒径１５ミクロン以上、比重１．５以上の不純物を分離・除去し、逆に、前記より粒径、質量が小さい不純物（固形微粒子）を含む処理水はそのまま出水口２０３から上昇させ、配管１６を通じて次のフィルター型濾過装置１２へ導かれる構成とされている。
なお、ハウジング２０１の下端部にドレン口２０４が設けられ、ドレン水を排出可能とするドレンコック２０５が設けられている。
したがって、この遠心分離型濾過装置２０も、長い使用期間中には汚損するが、ハウジング２０１及び導水口２０２、出水口２０３、ドレン口２０４などを水洗いすれば、継続して長期間使用することができる。
本発明に固有の特徴的な構成と作用、効果として、上記ドレンコック２０５を開いて流出するドレン水を受けるドレン容器２１が、ドレン口２０４の下方に設置されていることを注目されたい。このドレン容器２１に収容したドレン水に含まれた上記粒径、質量が大きい微粒子２３の成分を分析する水質検査を行い、微粒子２３の成分を分析すると、トンネル掘削工事の対象地盤の成分が判明することになる。その結果、同トンネル掘削工事の対象地盤の成分構成に最適の掘削工法なり掘削機械を選定する上で重要な手掛かりが得られることになる。
【００１７】
（実証試験の内容）
次に、本発明の作用効果を説明するため、上記図１に示した遠心分離型濾過装置２０を含む本発明の養生水供給系統と、図４に示した従前のフィルター型濾過装置１２のみで構成した養生水供給系統それぞれの稼働実積を、実証試験の結果に基づいて説明する。
図１及び図４のフィルター型濾過装置１２は共通し、日本フィルター株式会社が製造販売するプラスチック製のシングルフィルターハウジングＦＨ−Ａ−１０を採用した。これにフィルターカートリッジとして同社の製品名称ＣＷ−１０（材質ポロプロピレン、最高使用圧力が０．５ＭＰａ、濾過精度０．５〜２００ミクロン、長さ１２５〜７５０ｍｍ）を適用した。
図１の遠心分離型濾過装置２０には、株式会社ｉｎｄｕｓｔｒｉａが製造販売するｔｙｐeＳ ＫＳ−１５−Ａを使用した。その性能は流量範囲８〜１５リットル／Ｍｉｎ、  縦方向長さ３７０ｍｍを使用した。
図６の表に示した各用水の懸濁物質量の試験方法は、土木学会の水中分離度試験方法（ＪＳＣＥ−Ｄ  １０４−１９９９）によった。
【００１８】
（実証試験の結果）
上記構成による図１の養生水供給系統（本発明）と、図４の養生水供給系統（従来品）をそれぞれ採用して、図３Ａの養生設備へ養生水を供給し、散水用スプリンクラーの先端ノズルに詰まりが認められる日数を確認する実証試験を行った。
試験の最長日数は１２０日まで連続稼働させるものとし、先端ノズルの詰まりの有無は目視確認することとした。先端ノズルが１箇所でも詰まると、その時点の経過日数を記録した。上記実証試験の結果を、図６に示す。
【００１９】
（実証試験結果の評価）
図６によれば、以下の事実を確認することができる。
水源とする用水の種類が水道水の場合は、予想通り、最長日数１２０日まで連続稼働させても、詰まりは１箇所も発見されなかった。
用水の種類が河川水の場合は、図４の従来例では３３日で詰まりを発見したが、本発明の実施例では、６４日目に詰まり現象を発見した。本発明の実施例によれば、約２倍の期間を問題なく稼働できることが確認された。
「先受け工法」を実施しない場合の地下水を使用した場合は、従来例では１７日で詰まりを発見したが、本発明の実施例では、４７日目に詰まり現象を発見した。よって、本発明の実施例によれば、約３倍に近い期間を問題なく稼働できることが確認された。
「先受け工法」を実施した場合の地下水を使用する場合、従来例ではわずか９日で詰まりを発見したが、本発明の実施例では、３５日目に詰まり現象を発見した。よって、本発明の実施例によれば、約６倍に近い期間を問題なく稼働できることが確認された。
要するに、本発明の養生水供給系統を採用して、打設コンクリートの水養生設備へ養生水を供給すると、特に問題となる「先受け工法」を実施した地下水を用水に使用せざるを得ない場合にも、散水用スプリンクラーの先端ノズルの詰まりは少なくとも３０日ぐらいの期間は問題なく稼働できるから、今後のフィルターカートリッジ交換の実日数を３０日と定めて、これを標準仕様として実施することが可能である。
【００２０】
以上に本願発明を図示した実施例に基づいて説明したが、もとより本発明を実施例の構成に限る意味ではない。いわゆる当業者が必要に応じて、本願発明の要旨を逸脱しない範囲で行うであろう設計変更その他の変形応用の範囲にも及ぶ内容である。
【符号の説明】
【００２１】
１０      水源
１２      フィルター型濾過装置
１３      水タンク
１４      高圧ポンプ
１５      コンクリート養生設備
２０      遠心分離型濾過装置
【図１】
2014152527.tif 000003
【図２】
2014152527.tif 000004
【図３】
2014152527.tif 000005
【図４】
2014152527.tif 000006
【図５】
2014152527.tif 000007
【図６】
2014152527.tif 000008